(57)【要約】【課題】上着の裾部をパンツの中に入れても、着用スタイルが奇妙になりにくく、「寝にくい」といった状況も生じにくく、就寝中に上着の裾部がパンツから引き出されてしまうという状況も生じにくくなるパジャマなどの衣服を提供する。【解決手段】上着１０とパンツ２０とを有する。上着１０の裾部１１の身幅Ｗ２を、その上側部分１３の身幅Ｗ１よりも幅狭に形作る。パンツ２０のウエスト部２１をシャーリングによって形成することが望ましい。パジャマのほか、Ｔシャツなどの室内着や、カッターシャツなどの室外着にも適用することができる。【選択図】図１
0003195844.tif 000002
【実用新案登録請求の範囲】
【請求項１】
上半身に着用する上着と下半身に着用するパンツとを有する衣服であって、
上着の裾部の身幅が、その上側部分の身幅よりも幅狭に形作られていることを特徴とする衣服。
【請求項２】
上記裾部の幅狭箇所の身幅が、その幅狭箇所を上記パンツの中に入れて着用した状態でその幅狭箇所が嵩張らず、かつ、着用者の腰回り部分を締め付けない寸法を有している請求項１に記載した衣服。
【請求項３】
上記上着の着丈寸法は、上記裾部の幅狭箇所をパンツの中に入れた状態で、その幅狭箇所の上側部分を内側に折り返すことによって形成される垂れ下がり状の折返し裾部が、パンツのウエスト部を覆う状態になる寸法を有している請求項１又は請求項２に記載した衣服。
【請求項４】
上記パンツのウエスト部がシャーリングによって形成されている請求項１ないし請求項３のいずれか1項に記載した衣服。
【請求項５】
上記上着及び上記パンツが、パジャマ又は室内着から選ばれる衣類の上着及びパンツである請求項１ないし請求項４のいずれか１項に記載した衣服。
【考案の詳細な説明】
【技術分野】
【０００１】
本考案は、パジャマその他の室内着及び室外着などを含む衣服に関するものである。
【背景技術】
【０００２】
衣服、たとえばパジャマに関して、上半身に着用する上着（トップス）とパンツ（ボトムス）とを１セットとして着用するものは知られている（たとえば、特許文献１参照）。この特許文献１には、伸縮性を有する生地で構成された円筒形状の腹部保温体を、ボトムスのウエスト部に具備させてなるパジャマについての記述や、トップスの裾部を含む着丈の略全長に亘る部分において、その身幅を同等にしたパジャマについての記述がある。
【０００３】
図６は汎用されている一般的なパジャマの上着１０とパンツ２０との組み合わせを正面から見て示した概略説明図、図７は着用状態を想定した上着１０とパンツ２０との組み合わせを正面から見て示した概略説明図である。
【０００４】
ところで、特許文献１によって開示されているものに限らず、図６に示したような汎用的なパジャマは、着丈Ｌや身幅Ｗの寸法を着用者の胴長や胸幅などのサイズに比べて大きめに定め、そうすることによってゆったりと着用することができて、就寝時に着用者に負担がかかりにくくなるようにしている。そのため、上着１０の裾部１１を含む上記の着丈Ｌや身幅Ｗなどは、着用者の身体を締め付けない程度の長めのゆとりを持った寸法を有しているのが普通である。また、一般的なパジャマでは、着用者が、上着の裾口１２をパンツ２０の中に入れずに外側に垂らしたまま着用することが普通になっている。
【０００５】
その一方で、身体の保温効果を高めて冷えから保護し、身体を健康に保つことなどを意図して、図７のように、上着１０の裾部１１をパンツ２０の中に入れてパジャマを着用することも多々行われている。
【先行技術文献】
【特許文献】
【０００６】
【特許文献１】特開２０１４−１５９６５３号公報
【考案の概要】
【考案が解決しようとする課題】
【０００７】
しかしながら、図７のように、上着１０の裾部１１をパンツ２０の中に入れてパジャマを着用すると、上記したように上着１０の裾部１１を含む着丈Ｌや身幅Ｗなどが着用者の身体のサイズに比べて長めのゆとりを持った寸法になっていることなどにより、パンツ２０の中に入れた裾部１１が嵩張り、パンツ２０の腰回り部分が不自然に膨れて着用スタイルが奇妙になったり、就寝時に腰回り部分の膨らみがじゃまになって所謂「寝にくい」といった状況が起こったりする。さらに、就寝中に上着１０の裾部１１がパンツ２０から引き出されてしまって保温作用が損なわれるということも起こる。
【０００８】
本考案は以上の状況に鑑みてなわれたものであり、上着の裾部をパンツの中に入れても、着用スタイルが奇妙になりにくく、「寝にくい」といった状況も生じにくく、さらに、就寝中に上着の裾部がパンツから引き出されてしまうという状況も生じにくくなる衣服を提供することを目的としている。
【課題を解決するための手段】
【０００９】
本考案に係る衣服は、上半身に着用する上着と下半身に着用するパンツとを有し、上着の裾部の身幅が、その上側部分の身幅よりも幅狭に形作られている、というものである。
【００１０】
この構成を有する衣服であると、上着における裾部の上側部分の身幅が着用者の胸幅よりも長めになっていてゆったりと着用できるようになっているとしても、裾部の身幅がその上側部分の身幅よりも狭くなっているので、その裾部をパンツの中に入れても、裾部がパンツの中で嵩張りにくくなる。そのため、パンツの中に入れた裾部が嵩張ってパンツの腰回り部分が不自然に膨れて着用スタイルが奇妙になったりすることがなく、また、この衣服がパジャマである場合には、就寝時に腰回り部分の膨らみがじゃまになって「寝にくい」といった状況が起こったりすることがなくなるという作用が発揮される。さらに、裾部の幅狭箇所が着用者の腰回り部分でその裾部をずれ動きにくくすることに役立つので、この衣服がパジャマである場合には、就寝中に上着の裾部がパンツから引き出されにくくなって保温作用も損なわれにくくなるという作用も発揮される。
本考案では、上記裾部の幅狭箇所の身幅が、その幅狭箇所を上記パンツのウエスト部の内側に挿入して着用した状態でその幅狭箇所が嵩張らず、かつ、着用者の腰回りを締め付けない寸法を有していることが望ましい。この構成であると、パンツの中に入れた裾部がパンツの中で嵩張るという状況が生じないので、上記の諸作用がいっそう顕著に発揮される。
【００１１】
本考案において、上記上着の着丈寸法は、上記裾部の幅狭箇所をパンツのウエスト部の内側に挿入した状態で、その幅狭箇所の上側部分を内側に折り返すことによって形成される垂れ下がり状の折返し裾部が、パンツの上記ウエスト部を覆う状態になる寸法を有している、という構成を採用することが可能である。この構成を備えていると、着用時に垂れ下がり状の折返し裾部でパンツのウエスト部を覆い隠させて、上着の裾部をパンツの外側で垂れ下げたような外観が得られる。そのため、パジャマなどの室内着を、そのファッション性を損なわずに着用することが可能になる。
【００１２】
本考案では、上記パンツのウエスト部がシャーリングによって形成されている、という構成を採用することが可能である。シャーリングは、生地に多くのギャザーを寄せて伸縮性を持たせ、着用時のフィット感を持たせる技法である。そのため、この考案のように、パンツのウエスト部がシャーリングによって形成されていると、パンツの中に入れた裾部のずれ動きがそのウエスト部によって抑制されて着用初期のスタイルが保たれやすくなるという利点がある。また、この衣服がパジャマである場合には、就寝中に上着の裾部がパンツから引き出されにくくなって保温作用が損なわれにくくなるという作用がいっそう顕著に発揮される。
【００１３】
本考案に係る衣服には、パジャマやＴシャツ、その他の室内着が含まれることは勿論、カッターシャツなどの外出時に着用されることの多い衣類も含まれるけれども、特に、ゆったり着用できるサイズのものが好まれるパジャマなどの室内着に適用することによって格別に好ましい着用感が得られる。
【図面の簡単な説明】
【００１４】
【図１】本考案の実施形態に係るパジャマの上着とパンツとの組み合わせを正面から見て示した概略説明図である。
【図２】図１のパジャマの着用状態を想定した上着とパンツとの組み合わせを正面から見て示した概略説明図である。
【図３】折り畳んだ上着を下方から見て示した概略説明図である。
【図４】他の実施形態に係るパジャマの上着とパンツとの組み合わせを正面から見て示した概略説明図である。
【図５】図４のパジャマの着用状態を想定した上着とパンツとの組み合わせを正面から見て示した概略説明図である。
【図６】一般的なパジャマの上着とパンツとの組み合わせを正面から見て示した概略説明図である。
【図７】図６のパジャマの着用状態を想定した上着とパンツとの組み合わせを正面から見て示した概略説明図である。
【考案を実施するための形態】
【００１５】
図１は本考案の実施形態に係る衣類の例示であるパジャマの上着１０とパンツ２０との組み合わせを正面から見て示した概略説明図、図２は図１のパジャマの着用状態を想定した上着１０とパンツ２０との組み合わせを正面から見て示した概略説明図、図３は折り畳んだ上着を下方から見て示した概略説明図である。
【００１６】
図１に示した上着１０において、着丈Ｌ１は、図６を参照して説明した一般的に汎用されているパジャマの上着１０の着丈Ｌよりも長くなっていて、上着１０の裾口１２から一定丈Ｌ３に亘る裾部１１の身幅Ｗ２が、その上側部分１３の身幅Ｗ１よりも短い幅狭箇所Ｓとして形作られている。上記した上着１０の着丈Ｌ１は、たとえば７０〜７７ｃｍ程度に定めることが可能であり、この着丈Ｌ１は上着１０のサイズに応じて２〜３ｃｍ程度ずつ変化するのが普通である。図中、Ｌ２は幅狭箇所Ｓの上側部分１３の丈を示している。図３によって判るように、幅狭箇所Ｓは、上着１０の裾部１１において、その前身頃１５と後身頃１６とをそれぞれ略同じ寸法Ｗ３，Ｗ３だけ短くすることによって形成されている。この幅狭箇所Ｓの身幅Ｗ２は、上着１０を着用した場合において、幅狭箇所Ｓが、着用者の腰回り部分に対する寸法上の大きなゆとりを現出するほどではないけれども、着用者の腰回り部分を締め付ける程度にフィットすることのない程度の寸法に定められている。具体的には、上記上側部分１３の身幅Ｗ１が、着用者の胸幅に対する寸法上の比較的大きなゆとりを現出する程度に定められているものとして、その上側部分１３の身幅Ｗ１よりも、前身頃の左右でそれぞれ３〜５ｃｍ程度、後身頃の左右でそれぞれ３〜５ｃｍ程度、総計で１２〜２０ｃｍ程度短くなっている。なお、上記上側部分１３の身幅Ｗ１は、図６を参照して説明した一般的な上着１０の身幅Ｗと同等の寸法になっている。
【００１７】
衣服としてのパジャマにおいて、上着１０の幅狭箇所Ｓは、その生地を上側部分１３の生地とは異ならせて当該上側部分１３の裾口に縫着したり、織り方が上側部分１３とは異なる生地を幅狭箇所Ｓに使用したり、さらには、上側部分１３と同じ生地で織った幅狭箇所Ｓにゴムによって絞り性を持たせたりする、といった手法で容易に形成することができる。
【００１８】
パンツ２０は、そのウエスト部２１がシャーリングによって形成されている。図６を参照して説明した一般的なパジャマのパンツ２０と対比すると、図６のパンツ２０ではウエスト部２１を幅狭にしてゴムによる伸縮性を付与しているのに対し、図１に示したこの実施形態のパンツ２０では、そのウエスト部２１を幅広のシャーリングによって形成しているという点で相違している。また、ウエスト部２１を幅広のシャーリングにすることによって、ウエスト部２１の高さを、図６のパンツ２０のウエスト部２１の高さよりも少し引き上げているという点でも相違している。シャーリングは、生地に多くのギャザーを寄せて伸縮性を持たせ、着用時に身体に負担のかからないフィット感を持たせる技法であり、シャーリング箇所に他の生地を重ねた場合には、その他の生地がシャーリング箇所に対して滑りにくくなる、という特性を発揮する。また、幅広に形成されたウエスト部２１は、図６のような紐状のウエスト部２１に比べて保温性が高くなるという特性を発揮する。なお、ウエスト部２１のシャーリング形成箇所は、その高さ（縦幅）を８〜２０ｃｍ程度にすることが望ましく、この範囲であると、パンツ２０のデザインに応じてシャーリング形成箇所を多めに見たり短めに見たりするための自由度が向上する。
【００１９】
以上のように構成されているパジャマにおいて、上着１０は、上記上側部分１３の身幅Ｗ１が、着用者の胸幅に対して比較的大きな寸法上のゆとりを現出する程度に定められていることにより、たとえ幅狭箇所Ｓの身幅Ｗ２がその上側部分１３の身幅Ｗ１より短くなっているとしても、寸法上のゆとりを持ってゆったりとした着用状態が得られる。また、幅狭箇所Ｓが、着用者の腰回り部分に対する寸法上の大きなゆとりを現出するほどではないけれども、着用者の腰回り部分を締め付ける程度にフィットすることのない程度の寸法に定められていることにより、図２のようにその幅狭箇所Ｓをパンツ２０の中に入れても、その幅狭箇所Ｓが着用者の腰回り部分で嵩張ることがなく、しかも、その幅狭箇所Ｓで着用者の腰回り部分が締め付けられることもない。このため、パンツ２０の中に入れた上着１０の裾部１１（幅狭箇所Ｓ）が嵩張ってパンツ２０の腰回り部分が不自然に膨れ、着用スタイルが奇妙になったりすることがないだけでなく、就寝時に腰回り部分の膨らみがじゃまになって「寝にくい」といった状況が起こったりすることもない。また、幅狭箇所Ｓが着用者の腰回り部分に対してそれほど大きな寸法上のゆとりを備えていないので、その幅狭箇所Ｓがずれ動きにくくなり、そのことが、就寝中に裾部１１がパンツ２０から引き出されてしまって保温作用が損なわれるという状況も起こりにくくなる。このような作用は、パンツ２０のウエスト部２１が、滑り防止特性を発揮するシャーリングによって形成されていることによっていっそう顕著に発揮される。
【００２０】
この実施形態では、幅狭箇所Ｓの上側部分１３の丈Ｌ２が、図６を参照して説明した一般的なパジャマの上着１０の着丈Ｌに比べて十分に長くなっている。そのため、図２に示したように、幅狭箇所Ｓをパンツ２０のウエスト部２１の内側に挿入した状態でその幅狭箇所Ｓの上側部分１３を内側に折り返すと、その折返し部分によって形成される折返し裾部１４が、ウエスト部２１の外側で垂れ下がる。そのため、垂れ下がり状の折返し裾部１４によってウエスト部２１が覆い隠されて、パジャマを着用したときの自然な外観が得られるようになり、パジャマのファッション性が損なわれないという利点が得られる。
【００２１】
図４は他の実施形態に係るパジャマの上着１０とパンツ２０との組み合わせを正面から見て示した概略説明図、図５は図４のパジャマの着用状態を想定した上着とパンツとの組み合わせを正面から見て示した概略説明図である。
【００２２】
この実施形態では、上着１０の幅狭箇所Ｓを含む着丈Ｌ１が、図６を参照して説明した一般的なパジャマの上着１０の着丈Ｌと同等になっているという点で、図１のものと相違しているけれども、その余の構成は、図１のものと同様になっている。したがって、説明が重複することを回避するために、図１のものと同一又は相応する部分に同一符号を付して詳細な説明を省略する。
【００２３】
この実施形態のパジャマにおいて、図５のように上着１０の裾部１１の幅狭箇所Ｓをパンツ２０の中に入れて着用すると、図２を参照して説明したところと同様に、寸法上のゆとりを持ってゆったりとした着用状態が得られる。また同様に、その幅狭箇所Ｓが着用者の腰回り部分で嵩張ることがなく、しかも、その幅狭箇所Ｓで着用者の腰回り部分が締め付けられることもないので、パンツ２０の腰回り部分が不自然に膨れ、着用スタイルが奇妙になったりすることがなく、就寝時に腰回り部分の膨らみがじゃまになって「寝にくい」といった状況が起こったりすることもない。さらに、就寝中に裾部１１がパンツ２０から引き出されにくくなって保温作用が損なわれるという状況も起こりにくいという作用も同様に発揮される。
【００２４】
図１〜図３に示した実施形態、並びに、図４及び図５に示した実施形態において、パンツ２０のウエスト部２１をシャーリングにすることは必須事項ではなく、そのウエスト部２１を図６を参照して説明した一般的なパジャマのパンツ２０に見られる紐状のウエスト部２１と同様に構成してもよい。
【００２５】
また、上記の実施形態では、いずれもパジャマを例示したけれども、本考案に係る衣服はパジャマに限定されず、Ｔシャツなどのその他の室内着や、カッターシャツなどの外出着であってもよい。
【符号の説明】
【００２６】
１０  上着
１１  裾部
１３  裾分の上側部分
１４  折返し裾部
２０  パンツ
２１  ウエスト部
Ｓ  裾部の幅狭箇所
Ｗ２  裾部の身幅
Ｗ１  裾部の上側部分の身幅
Ｌ１  上着の着丈寸法
【図１】
0003195844.tif 000003
【図２】
0003195844.tif 000004
【図３】
0003195844.tif 000005
【図４】
0003195844.tif 000006
【図５】
0003195844.tif 000007
【図６】
0003195844.tif 000008
【図７】
0003195844.tif 000009